【手続補正書】
【提出日】平成20年2月28日(2008.2.28)
【手続補正１】
【補正対象書類名】明細書
【補正対象項目名】特許請求の範囲
【補正方法】変更
【補正の内容】
【特許請求の範囲】
【請求項１】  複数の画像データを連続して入力可能な入力手段によって入力される画像データの両面印刷が可能な印刷装置であって、
前記入力手段によって画像データが入力された場合に、当該画像データに後続する他の画像データの入力が有るか判断手段によって判断されるまでの間は、給紙手段から印刷手段へ当該画像データの印刷に必要な用紙を供給するのを待機し、前記判断手段による当該判断が済み次第、前記給紙手段から前記印刷手段へ当該画像データの印刷に必要な用紙を供給するよう制御する制御手段を有し、
前記制御手段は、
前記他の画像データの入力が有ることが前記判断手段によって判断された場合、前記画像データが印刷される前記用紙の裏面に当該他の画像データを印刷するよう制御し、
前記他の画像データの入力が有ることが前記判断手段によって判断されなかった場合、前記画像データが印刷される前記用紙の裏面については白紙印刷となるよう制御することを特徴とする印刷装置。
【請求項２】  複数の画像データを連続して入力可能な入力手段によって入力される画像データの両面印刷が可能な印刷装置のための制御方法であって、
前記制御方法は、
前記入力手段によって画像データが入力された場合に、当該画像データに後続する他の画像データの入力が有るか判断手段によって判断されるまでの間は、給紙手段から印刷手段へ当該画像データの印刷に必要な用紙を供給するのを待機し、前記判断手段による当該判断が済み次第、前記給紙手段から前記印刷手段へ当該画像データの印刷に必要な用紙を供給するよう制御し、
前記制御方法は、
前記他の画像データの入力が有ることが前記判断手段によって判断された場合、前記画像データが印刷される前記用紙の裏面に当該他の画像データを印刷するよう制御し、
前記他の画像データの入力が有ることが前記判断手段によって判断されなかった場合、前記画像データが印刷される前記用紙の裏面については白紙印刷となるよう制御することを特徴とする制御方法。
【手続補正２】
【補正対象書類名】明細書
【補正対象項目名】０００９
【補正方法】変更
【補正の内容】
【０００９】
【課題を解決するための手段】
上記課題を解決するために、請求項１に記載の印刷装置は、複数の画像データを連続して入力可能な入力手段によって入力される画像データの両面印刷が可能な印刷装置であって、前記入力手段によって画像データが入力された場合に、当該画像データに後続する他の画像データの入力が有るか判断手段によって判断されるまでの間は、給紙手段から印刷手段へ当該画像データの印刷に必要な用紙を供給するのを待機し、前記判断手段による当該判断が済み次第、前記給紙手段から前記印刷手段へ当該画像データの印刷に必要な用紙を供給するよう制御する制御手段を有し、前記制御手段は、前記他の画像データの入力が有ることが前記判断手段によって判断された場合、前記画像データが印刷される前記用紙の裏面に当該他の画像データを印刷するよう制御し、前記他の画像データの入力が有ることが前記判断手段によって判断されなかった場合、前記画像データが印刷される前記用紙の裏面については白紙印刷となるよう制御することを特徴とする。
【手続補正３】
【補正対象書類名】明細書
【補正対象項目名】００１０
【補正方法】変更
【補正の内容】
【００１０】
請求項２に記載の制御方法は、複数の画像データを連続して入力可能な入力手段によって入力される画像データの両面印刷が可能な印刷装置のための制御方法であって、前記制御方法は、前記入力手段によって画像データが入力された場合に、当該画像データに後続する他の画像データの入力が有るか判断手段によって判断されるまでの間は、給紙手段から印刷手段へ当該画像データの印刷に必要な用紙を供給するのを待機し、前記判断手段による当該判断が済み次第、前記給紙手段から前記印刷手段へ当該画像データの印刷に必要な用紙を供給するよう制御し、前記制御方法は、前記他の画像データの入力が有ることが前記判断手段によって判断された場合、前記画像データが印刷される前記用紙の裏面に当該他の画像データを印刷するよう制御し、前記他の画像データの入力が有ることが前記判断手段によって判断されなかった場合、前記画像データが印刷される前記用紙の裏面については白紙印刷となるよう制御することを特徴とする。
【手続補正４】
【補正対象書類名】明細書
【補正対象項目名】００１１
【補正方法】削除
【補正の内容】
【手続補正５】
【補正対象書類名】明細書
【補正対象項目名】００１２
【補正方法】削除
【補正の内容】
【手続補正６】
【補正対象書類名】明細書
【補正対象項目名】００１３
【補正方法】削除
【補正の内容】
【手続補正７】
【補正対象書類名】明細書
【補正対象項目名】００１４
【補正方法】削除
【補正の内容】
【手続補正８】
【補正対象書類名】明細書
【補正対象項目名】００１５
【補正方法】削除
【補正の内容】
【手続補正９】
【補正対象書類名】明細書
【補正対象項目名】００１６
【補正方法】削除
【補正の内容】
【手続補正１０】
【補正対象書類名】明細書
【補正対象項目名】００１７
【補正方法】削除
【補正の内容】
【手続補正１１】
【補正対象書類名】明細書
【補正対象項目名】００１８
【補正方法】削除
【補正の内容】
【手続補正１２】
【補正対象書類名】明細書
【補正対象項目名】００１９
【補正方法】削除
【補正の内容】
【手続補正１３】
【補正対象書類名】明細書
【補正対象項目名】００２０
【補正方法】削除
【補正の内容】
【手続補正１４】
【補正対象書類名】明細書
【補正対象項目名】００２１
【補正方法】削除
【補正の内容】
【手続補正１５】
【補正対象書類名】明細書
【補正対象項目名】００２２
【補正方法】削除
【補正の内容】
【手続補正１６】
【補正対象書類名】明細書
【補正対象項目名】００２３
【補正方法】削除
【補正の内容】
【手続補正１７】
【補正対象書類名】明細書
【補正対象項目名】００２４
【補正方法】削除
【補正の内容】
【手続補正１８】
【補正対象書類名】明細書
【補正対象項目名】００６７
【補正方法】変更
【補正の内容】
【００６７】
次に、片面画像形成および両面画像形成における給紙制御について説明する。
まず、片面画像形成および両面画像形成における記録紙の搬送経路について図８および図９を参照しながら説明する。図８（ａ）は、図１の画像形成装置のプリンタ部３００における記録紙の搬送経路を模式的に示す図、図８（ｂ）は、表面排紙モードによる片面が像形成の記録紙の搬送経路を模式的に示す図、図８（ｃ）は、背面排紙モードによる片面画像形成の記録紙の搬送経路を模式的に示す図である。図９（ａ），（ｂ）は、両面が像形成の記録紙を搬送する搬送経路を模式的に示す図である。なお、ここでは、手差し給紙段３１５から給紙した場合に限定して説明する。
【手続補正１９】
【補正対象書類名】明細書
【補正対象項目名】００６９
【補正方法】変更
【補正の内容】
【００６９】
片面画像形成の場合、図８（ｂ）に示すように、まず、手差し給紙段３１５から給紙された記録紙Ｓが、搬送路３３１を経て感光ドラム３２３と転写部３２５の間に搬送される。この記録紙Ｓは、その表面に感光ドラム３２３上のトナー像が転写されたあとに、定着部に送られ、トナー像が定着部により記録紙Ｓ上に定着される。画像が定着された記録紙Ｓは、搬送路３３５を経て外部（排紙ビンまたは排紙処理ユニット）に排紙される。背面排紙を行う場合には図８（ｃ）に示すように、定着後の記録紙Ｓは、搬送路３３６を経ていったん搬送路３３８に導かれたあとに、搬送路３３７を介して外部へ背面排紙される。なお、図８（ｂ），（ｃ）中、記録紙Ｓにおいて△印が付された面は、画像形成面を示す。